(57)【要約】【課題】簡易な構成によって、本体側コネクターとユニット側コネクターの嵌合状態を安定させ、本体側コネクター及びユニット側コネクターの破損を抑制する。【解決手段】本発明の画像形成装置は、装置本体２と、装置本体２に所定の着脱方向に沿って着脱されるユニット８と、を備え、装置本体２は、本体側基板６１と、本体側基板６１に実装される本体側コネクター６２と、を備え、ユニット８は、ユニット側基板２７と、ユニット側基板２７に実装され、ユニット８が装置本体２に装着されるのに伴って本体側コネクター６２に着脱方向一側から嵌合するユニット側コネクター２８と、ユニット側基板２７を着脱方向に沿って移動可能に支持する支持部材２０と、ユニット側基板２７を着脱方向他側に向かって付勢する付勢部材２９と、を備えていることを特徴とする。【選択図】図２
2019039975.tif 000002
【特許請求の範囲】
【請求項１】
装置本体と、
前記装置本体に所定の着脱方向に沿って着脱されるユニットと、を備え、
前記装置本体は、
本体側基板と、
前記本体側基板に実装される本体側コネクターと、を備え、
前記ユニットは、
ユニット側基板と、
前記ユニット側基板に実装され、前記ユニットが前記装置本体に装着されるのに伴って前記本体側コネクターに前記着脱方向一側から嵌合するユニット側コネクターと、
前記ユニット側基板を前記着脱方向に沿って移動可能に支持する支持部材と、
前記ユニット側基板を前記着脱方向他側に向かって付勢する付勢部材と、を備えていることを特徴とする画像形成装置。
【請求項２】
前記支持部材は、前記着脱方向に沿って延びている一対のガイド部を備え、
前記ユニット側基板の幅方向両側部が前記一対のガイド部に係合することで、前記支持部材が前記ユニット側基板を前記着脱方向に沿って移動可能に支持することを特徴とする請求項１に記載の画像形成装置。
【請求項３】
前記ユニット側基板の幅方向両側部には、前記ユニット側基板の幅方向両外側に向かって一対の当接片が突出しており、
前記一対の当接片が前記一対のガイド部に当接することで、前記支持部材に対する前記ユニット側基板の前記着脱方向一側への移動が規制されることを特徴とする請求項２に記載の画像形成装置。
【請求項４】
前記付勢部材は、前記着脱方向を軸心方向とするコイルバネを備えていることを特徴とする請求項１〜３のいずれか１項に記載の画像形成装置。
【請求項５】
前記付勢部材は、
前記コイルバネから前記着脱方向一側に向かって延びており、前記ユニット側基板の前記着脱方向一側の縁部に係合する第１係合部と、
前記コイルバネから前記着脱方向他側に向かって延びており、前記支持部材に係合する第２係合部と、を更に備えていることを特徴とする請求項４に記載の画像形成装置。
【請求項６】
トナー像を担持する像担持体を更に備え、
前記ユニットは、前記像担持体にトナーを供給する現像ユニットであることを特徴とする請求項１〜５のいずれか１項に記載の画像形成装置。
【発明の詳細な説明】
【技術分野】
【０００１】
本発明は、画像形成装置に関する。
【背景技術】
【０００２】
従来、画像形成装置は、現像ユニット、ドラムユニット、定着ユニット等の各種ユニットを備えている。これらのユニットは、画像形成装置の装置本体に着脱されるようになっている。
【０００３】
上記ユニットには、ユニット側コネクターが設けられ、上記装置本体には、本体側コネクターが設けられている。そして、ユニットが装置本体に装着されるのに伴って、ユニット側コネクターが本体側コネクターに嵌合することで、ユニットと装置本体の間で電気的な通信が可能となる。
【０００４】
例えば、特許文献１には、装置本体に挿入可能なプリントカートリッジを備えた画像形成装置が開示されている。プリントカートリッジの奥側端面にはカートリッジ側コネクタが突設してあり、装置本体には本体側コネクタが突設してある。プリントカートリッジが装置本体に挿入された時に、両コネクタが接続される。
【先行技術文献】
【特許文献】
【０００５】
【特許文献１】特開平４−１５２３５９号公報
【発明の概要】
【発明が解決しようとする課題】
【０００６】
上記のようにユニットが装置本体に装着されると、ユニットと装置本体の連結部分（例えば、装置本体側からユニット側に駆動を伝達するためのジョイントの連結部分）に生じる反力によって、ユニットが装着方向とは逆方向に押し戻される。これに伴って、ユニット側コネクターが装着方向とは逆方向に押し戻されると、本体側コネクターとユニット側コネクターの嵌合状態が不安定になったり、本体側コネクターやユニット側コネクターが破損したりする恐れがある。
【０００７】
そこで、本発明は、簡易な構成によって、本体側コネクターとユニット側コネクターの嵌合状態を安定させ、本体側コネクター及びユニット側コネクターの破損を抑制することを目的とする。
【課題を解決するための手段】
【０００８】
本発明に係る画像形成装置は、装置本体と、前記装置本体に所定の着脱方向に沿って着脱されるユニットと、を備え、前記装置本体は、本体側基板と、前記本体側基板に実装される本体側コネクターと、を備え、前記ユニットは、ユニット側基板と、前記ユニット側基板に実装され、前記ユニットが前記装置本体に装着されるのに伴って前記本体側コネクターに前記着脱方向一側から嵌合するユニット側コネクターと、前記ユニット側基板を前記着脱方向に沿って移動可能に支持する支持部材と、前記ユニット側基板を前記着脱方向他側に向かって付勢する付勢部材と、を備えていることを特徴とする。
【０００９】
前記支持部材は、前記着脱方向に沿って延びている一対のガイド部を備え、前記ユニット側基板の幅方向両側部が前記一対のガイド部に係合することで、前記支持部材が前記ユニット側基板を前記着脱方向に沿って移動可能に支持しても良い。
【００１０】
前記ユニット側基板の幅方向両側部には、前記ユニット側基板の幅方向両外側に向かって一対の当接片が突出しており、前記一対の当接片が前記一対のガイド部に当接することで、前記支持部材に対する前記ユニット側基板の前記着脱方向一側への移動が規制されても良い。
【００１１】
前記付勢部材は、前記着脱方向を軸心方向とするコイルバネを備えていても良い。
【００１２】
前記付勢部材は、前記コイルバネから前記着脱方向一側に向かって延びており、前記ユニット側基板の前記着脱方向一側の縁部に係合する第１係合部と、前記コイルバネから前記着脱方向他側に向かって延びており、前記支持部材に係合する第２係合部と、を更に備えていても良い。
【００１３】
前記画像形成装置は、トナー像を担持する像担持体を更に備え、前記ユニットは、前記像担持体にトナーを供給する現像ユニットであっても良い。
【発明の効果】
【００１４】
本発明によれば、簡易な構成によって、本体側コネクターとユニット側コネクターの嵌合状態を安定させ、本体側コネクター及びユニット側コネクターの破損を抑制することが可能となる。
【図面の簡単な説明】
【００１５】
【図１】本発明の一実施形態に係る画像形成装置を示す模式図である。
【図２】本発明の一実施形態に係る装置本体及び現像ユニットを示す斜視図である。
【図３】本発明の一実施形態に係る現像ユニットを示す断面図である。
【図４】本発明の一実施形態に係る現像ユニットにおいて、ユニット側基板及びその周辺部を示す斜視図である。
【図５】本発明の一実施形態に係る現像ユニットにおいて、ユニット側基板及びその周辺部を示す断面図である。
【図６Ａ】本発明の一実施形態に係る画像形成装置において、現像ユニットが装置本体に装着される途中の状態を示す断面図である。
【図６Ｂ】本発明の一実施形態に係る画像形成装置において、現像ユニットが装置本体に装着され、筐体が前側に押し戻される前の状態を示す断面図である。
【図６Ｃ】本発明の一実施形態に係る画像形成装置において、現像ユニットが装置本体に装着され、筐体が前側に押し戻された状態を示す断面図である。
【発明を実施するための形態】
【００１６】
以下、図面を参照しつつ、本発明の一実施形態に係る画像形成装置１について説明する。各図に適宜付される矢印Ｆｒ、Ｒｒ、Ｌ、Ｒ、Ｕ、Ｌｏは、それぞれ、画像形成装置１の前側、後側、左側、右側、上側、下側を示している。
【００１７】
まず、画像形成装置１の全体の構成について説明する。画像形成装置１は、例えば、プリント機能、コピー機能及びファックス機能などを複合的に備えた複合機である。
【００１８】
図１に示されるように、画像形成装置１は、箱型の装置本体２を備えている。装置本体２の上端部には、原稿画像を読み取るための画像読取装置３が設けられている。
【００１９】
装置本体２の上部には、排紙トレイ４が設けられている。装置本体２の略中央部には、中間転写ベルト５と４個の画像形成部６が収容されている。各画像形成部６は、例えば、ブラック、シアン、マゼンタ、イエローに対応している。各画像形成部６は、感光体ドラム７（像担持体の一例）と現像ユニット８を備えている。装置本体２の下部には、露光装置１０が収容されている。装置本体２の下端部には、用紙Ｓ（記録媒体の一例）を収納する給紙カセット１１が収容されている。
【００２０】
装置本体２の右側部には、用紙Ｓの搬送路Ｐが設けられている。搬送路Ｐの上流端部には、給紙部１２が設けられている。搬送路Ｐの中流部には、二次転写部１３が設けられている。搬送路Ｐの下流部には、定着装置１４が設けられている。
【００２１】
装置本体２の上部には、排紙トレイ４の下方に４個のトナーコンテナ１５が収容されている。各トナーコンテナ１５は、例えば、ブラック、シアン、マゼンタ、イエローのトナーを収容している。
【００２２】
次に、画像形成装置１の動作の一例について説明する。
【００２３】
まず、露光装置１０からの光（図１の点線矢印参照）によって、各画像形成部６の感光体ドラム７に静電潜像が形成される。この静電潜像は、各画像形成部６の現像ユニット８によって現像される。これにより、各画像形成部６の感光体ドラム７にトナー像が担持される。このトナー像は、各画像形成部６の感光体ドラム７から中間転写ベルト５に一次転写される。これにより、中間転写ベルト５上にフルカラーのトナー像が形成される。
【００２４】
また、給紙部１２によって給紙カセット１１から取り出された用紙Ｓは、搬送路Ｐを下流側へと搬送されて、二次転写部１３に進入する。この二次転写部１３において、中間転写ベルト５上に形成されたフルカラーのトナー像が用紙Ｓに二次転写される。トナー像を二次転写された用紙Ｓは、搬送路Ｐを更に下流側へと搬送されて、定着装置１４に進入する。この定着装置１４において、用紙Ｓにトナー像が定着される。トナー像が定着された用紙Ｓは、排紙トレイ４上に排出される。
【００２５】
次に、現像ユニット８について更に説明する。
【００２６】
なお、図２、図４は下方からの斜視図であるため、図面上の上下関係が実際の上下関係とは逆転している。
【００２７】
図２に矢印Ａで示されるように、現像ユニット８は、前側（前後方向一側）から後側（前後方向他側）に向かって押し込まれることで装置本体２に装着される。図２に矢印Ｂで示されるように、現像ユニット８は、後側（前後方向他側）から前側（前後方向一側）に向かって引き出されることで装置本体２から取り外される。このように、現像ユニット８は、前後方向に沿って装置本体２に着脱される。つまり、本実施形態では、装置本体２に対する現像ユニット８の着脱方向は、前後方向である。
【００２８】
図３、図４を参照して、現像ユニット８は、筐体２０（支持部材の一例）と、筐体２０の下部に収容される左右一対の撹拌スクリュー２１と、筐体２０の上下方向中央部に収容される磁気ローラー２２と、磁気ローラー２２の右側に設けられるブレード２３と、筐体２０の上部に収容される現像ローラー２４と、筐体２０の底壁に固定されるトナー濃度センサー２５と、筐体２０の後側（前後方向他側）に設けられるユニット側ジョイント２６と、筐体２０の後下側に設けられるユニット側基板２７と、ユニット側基板２７の後端部（前後方向他側の端部）に実装されるユニット側コネクター２８と、ユニット側基板２７の右前側に設けられる付勢部材２９と、を備えている。
【００２９】
図３を参照して、現像ユニット８の筐体２０の内部には、収容空間Ｐが形成されている。収容空間Ｐには、現像剤が収容されている。この現像剤は、例えば、非磁性トナーと磁性キャリアから成る二成分現像剤である。筐体２０の右面の上端部には、開口部３１が設けられている。
【００３０】
図４を参照して、筐体２０の後端面の中央部には、円筒状の保持部３２が後側に向かって突出している。筐体２０の後端面の右側部には、円柱状の嵌合突起３３が後側に向かって突出している。
【００３１】
図４、図５を参照して、筐体２０の底面の後端部には、左右一対のガイド部３４が突出している。各ガイド部３４は、前後方向に沿って延びている。各ガイド部３４は、ベース部３５と、ベース部３５の上端部から左右方向内側に向かって突出している上側突部３６と、ベース部３５の下端部から左右方向内側に向かって突出している下側突部３７と、ベース部３５の下端部から下側に向かって突出している係合突部３８と、を備えている。ベース部３５及び上側突部３６は、各ガイド部３４の前端側から後端側まで連続している。下側突部３７及び係合突部３８は、各ガイド部３４の後部のみに設けられている。ベース部３５の左右方向内側の面には、上側突部３６と下側突部３７の間に、ガイド溝３９が設けられている。ガイド溝３９は、前後方向に沿って延びている。
【００３２】
図３を参照して、現像ユニット８の左右一対の撹拌スクリュー２１は、筐体２０の収容空間Ｐに収容されている。各撹拌スクリュー２１は、前後方向に長い形状を成している。各撹拌スクリュー２１は、筐体２０に回転可能に支持されている。
【００３３】
現像ユニット８の磁気ローラー２２は、筐体２０の収容空間Ｐに収容されている。磁気ローラー２２は、前後方向に長い形状を成している。磁気ローラー２２は、回転不能な複数の磁極２２Ａと、複数の磁極２２Ａの外周を覆う回転可能なスリーブ２２Ｂと、を備えている。
【００３４】
現像ユニット８のブレード２３は、筐体２０の右側部に固定されている。ブレード２３の先端部は、磁気ローラー２２のスリーブ２２Ｂの外周面と間隔を介して対向している。
【００３５】
現像ユニット８の現像ローラー２４は、筐体２０の収容空間Ｐに収容されている。現像ローラー２４は、前後方向に長い形状を成している。現像ローラー２４は、回転不能な磁極２４Ａと、磁極２４Ａの外周を覆う回転可能なスリーブ２４Ｂと、を備えている。スリーブ２４Ｂの右側部は、筐体２０の開口部３１を介して筐体２０の外部に露出しており、感光体ドラム７の外周面に間隔を介して対向している。
【００３６】
現像ユニット８のトナー濃度センサー２５は、例えば、透磁率センサーによって構成されており、筐体２０内の現像剤の透磁率に基づいて、筐体２０内の現像剤のトナー濃度を検知する。
【００３７】
図４を参照して、現像ユニット８のユニット側ジョイント２６は、筐体２０の保持部３２に回転可能に保持されている。ユニット側ジョイント２６は、ギア列（図示せず）を介して、各撹拌スクリュー２１、磁気ローラー２２のスリーブ２２Ｂ及び現像ローラー２４のスリーブ２４Ｂに接続されている。
【００３８】
図４、図５を参照して、現像ユニット８のユニット側基板２７は、メモリー機能を備えたＩＣ基板である。ユニット側基板２７は、前後方向に長い平板状を成している。ユニット側基板２７は、ケーブル４１を介してトナー濃度センサー２５に接続されている。ユニット側基板２７の右前部には、貫通穴４２が設けられている。
【００３９】
ユニット側基板２７の上面は、筐体２０の底面と間隔を介して対向している。ユニット側基板２７の左右両側部（幅方向両側部）は、筐体２０の各ガイド部３４に設けられたガイド溝３９に係合している。これにより、ユニット側基板２７が筐体２０によって前後方向に沿って移動可能に支持されている（図４の矢印Ｘ参照）。ユニット側基板２７の左右両側部には、左右両外側（幅方向両外側）に向かって一対の当接片４３が突出している。各当接片４３の前縁部は、筐体２０の各ガイド部３４の後縁部と間隔を介して対向しており、ユニット側基板２７が筐体２０に対して前側（前後方向一側）に向かって移動すると、各当接片４３の前縁部が各ガイド部３４の後縁部に当接することで、筐体２０に対するユニット側基板２７の前側への移動が規制される。
【００４０】
現像ユニット８のユニット側コネクター２８は、ユニット側基板２７の下面の後端部に直接固定されるユニット側ホルダー４５と、ユニット側ホルダー４５に保持される複数のユニット側端子４６と、を備えている。ユニット側ホルダー４５の後面には凹部４７が設けられており、この凹部４７に複数のユニット側端子４６が収容されている。複数のユニット側端子４６は、左右方向に並んでいる。各ユニット側端子４６は、ピン状を成しており、前後方向に沿って延びている。
【００４１】
現像ユニット８の付勢部材２９は、１本の線材によって形成されている。付勢部材２９は、ユニット側基板２７の右端側（幅方向一端側）に配置されている。付勢部材２９は、コイルバネ５０と、コイルバネ５０から前側（前後方向一側）に向かって延びている第１係合部５１と、コイルバネ５０から後側（前後方向他側）に向かって延びている第２係合部５２と、を備えている。コイルバネ５０は、前後方向を軸心方向としている。第１係合部５１は、フック状を成しており、ユニット側基板２７の前縁部（前後方向一側の縁部）に係合している。第２係合部５２は、コイル状を成しており、筐体２０の右側のガイド部３４の係合突部３８に係合している。以上のような構成により、付勢部材２９がユニット側基板２７を後側（前後方向他側）に向かって付勢している。
【００４２】
次に、装置本体２について更に説明する。
【００４３】
図２を参照して、装置本体２は、本体側基板６１と、本体側基板６１の下部に実装される本体側コネクター６２と、本体側基板６１の上側に設けられる本体側ジョイント６３及び嵌合筒６４と、を備えている。
【００４４】
装置本体２の本体側基板６１は、左右方向に長い平板状を成している。本体側基板６１は、固定的に設けられており、移動不能である。本体側基板６１の上部には、切欠部６６が設けられている。
【００４５】
図２、図６Ａ〜図６Ｃを参照して、装置本体２の本体側コネクター６２は、本体側基板６１の前面（前後方向一側の面）の下部に直接固定される本体側ホルダー６８と、本体側ホルダー６８に保持される複数の本体側端子６９（図６Ａ〜図６Ｃにおいて１個のみ表示）と、を備えている。複数の本体側端子６９は、左右方向に並んでいる。各本体側端子６９は、板バネによって構成されている。各本体側端子６９は、上下一対の接触片６９Ａを備えている。
【００４６】
図２を参照して、装置本体２の本体側ジョイント６３は、本体側基板６１の切欠部６６に挿入されている。本体側ジョイント６３は、回転可能に設けられている。本体側ジョイント６３は、モーター等によって構成される駆動源（図示せず）に接続されている。
【００４７】
装置本体２の嵌合筒６４は、本体側基板６１の切欠部６６に挿入されている。嵌合筒６４は、前後方向に沿って延びている。
【００４８】
次に、上記のように構成された画像形成装置１において、感光体ドラム７に形成された静電潜像を現像ユニット８によって現像する動作について説明する。
【００４９】
まず、現像ユニット８が装置本体２に装着された状態で、駆動源（図示せず）によって本体側ジョイント６３を回転させる。このように本体側ジョイント６３が回転すると、本体側ジョイント６３に連結されたユニット側ジョイント２６が本体側ジョイント６３と一体に回転する。このようにユニット側ジョイント２６が回転すると、この回転がギア列（図示せず）を介して各撹拌スクリュー２１、磁気ローラー２２のスリーブ２２Ｂ及び現像ローラー２４のスリーブ２４Ｂに伝達され、各撹拌スクリュー２１、磁気ローラー２２のスリーブ２２Ｂ及び現像ローラー２４のスリーブ２４Ｂが回転する。
【００５０】
図３を参照して、上記のように各撹拌スクリュー２１が回転すると、筐体２０の収容空間Ｐに収容された現像剤が各撹拌スクリュー２１によって撹拌されて、帯電する。帯電した現像剤は、磁気ローラー２２の各磁極２２Ａの磁力によって汲み上げられ、磁気ローラー２２のスリーブ２２Ｂに担持される。磁気ローラー２２のスリーブ２２Ｂに担持された現像剤は、磁気ローラー２２のスリーブ２２Ｂの回転に伴って搬送され、ブレード２３によって層厚を規制される。ブレード２３によって層厚を規制された現像剤に含まれるトナーは、磁気ローラー２２のスリーブ２２Ｂから現像ローラー２４のスリーブ２４Ｂに移動する。現像ローラー２４のスリーブ２４Ｂに移動したトナーは、現像ローラー２４のスリーブ２４Ｂの回転に伴って搬送され、現像ローラー２４のスリーブ２４Ｂから感光体ドラム７に移動する。つまり、現像ローラー２４のスリーブ２４Ｂから感光体ドラム７にトナーが供給される。これにより、感光体ドラム７に形成された静電潜像が現像される。
【００５１】
次に、上記のように構成された画像形成装置１において、ユーザーやサービスマンなどの作業者が現像ユニット８を装置本体２に装着する動作について説明する。
【００５２】
作業者が現像ユニット８を装置本体２に装着する際には、作業者が現像ユニット８を前側から後側に向かって押し込む。これに伴って、図６Ａに示されるように、ユニット側コネクター２８の各ユニット側端子４６が本体側コネクター６２の各本体側端子６９に対向する。作業者が現像ユニット８を前側から後側に向かって更に押し込むと、図６Ｂに示されるように、現像ユニット８が装置本体２に装着される。このように現像ユニット８が装置本体２に装着されると、ユニット側コネクター２８の各ユニット側端子４６が本体側コネクター６２の各本体側端子６９に前側（前後方向一側）から嵌合する。これに伴って、各ユニット側端子４６が各本体側端子６９の各接触片６９Ａに接触し、ユニット側コネクター２８と本体側コネクター６２が電気的に接続される。
【００５３】
また、上記のように現像ユニット８が装置本体２に装着されると、現像ユニット８のユニット側ジョイント２６が装置本体２の本体側ジョイント６３に連結されると共に、現像ユニット８の嵌合突起３３が装置本体２の嵌合筒６４に嵌合する。これにより、本体側ジョイント６３からユニット側ジョイント２６への回転の伝達が可能になると共に、現像ユニット８が装置本体２に対して位置決めされる。
【００５４】
ところで、上記のように現像ユニット８が装置本体２に装着されると、ユニット側ジョイント２６と本体側ジョイント６３の連結部分に生じる反力によって、図６Ｃに示されるように、筐体２０が前側（前後方向一側）に押し戻される。その際に、ユニット側基板２７及びユニット側コネクター２８が筐体２０と共に前側に押し戻されると、本体側コネクター６２とユニット側コネクター２８の嵌合状態が不安定になったり、本体側コネクター６２やユニット側コネクター２８が破損したりする恐れがある。
【００５５】
そこで、本実施形態では、ユニット側基板２７が筐体２０によって前後方向に沿って移動可能に支持されると共に、ユニット側基板２７が付勢部材２９によって後側（前後方向他側）に向かって付勢されている。このような構成を採用することで、図６Ｃに示されるように、筐体２０が前側（前後方向一側）に押し戻されたとしても、ユニット側基板２７及びユニット側コネクター２８が筐体２０と共に前側に押し戻されるのを抑制することが可能となる。そのため、本体側コネクター６２とユニット側コネクター２８の嵌合状態を安定させ、本体側コネクター６２及びユニット側コネクター２８の破損を抑制することが可能となる。これに伴って、本体側コネクター６２とユニット側コネクター２８の電気的な接続不良を回避することが可能となる。
【００５６】
また、本体側コネクター６２とユニット側コネクター２８の嵌合状態を安定させるために、各本体側端子６９を構成する板バネの弾性領域を大きくすることも考えられる。しかしながら、このような構成を採用すると、各ユニット側端子４６が各本体側端子６９に浅く接触すれば各ユニット側端子４６と各本体側端子６９の接触圧が低くなり、各ユニット側端子４６が各本体側端子６９に深く接触すれば各ユニット側端子４６と各本体側端子６９の接触圧が高くなる。つまり、各ユニット側端子４６と各本体側端子６９の接触圧にばらつきが生じる。そのため、本体側コネクター６２とユニット側コネクター２８の電気的な接続を安定させることはできない。
【００５７】
そこで、本実施形態では、各本体側端子６９を構成する板バネの弾性領域を大きくすることで本体側コネクター６２とユニット側コネクター２８の嵌合状態を安定させるのではなく、前後方向に沿って移動可能なユニット側基板２７を後側に向かって付勢することで本体側コネクター６２とユニット側コネクター２８の嵌合状態を安定させている。そのため、各ユニット側端子４６と各本体側端子６９の接触圧を均一化し、本体側コネクター６２とユニット側コネクター２８の電気的な接続を安定させることができる。
【００５８】
また、本実施形態では、各基板２７、６１に実装されたコネクター２８、６２同士を嵌合させる構成（以下、「ボードtoボート」の構成）を採用している。このようなボードtoボードの構成を採用することで、各基板２７、６１に配線を介して接続されたコネクターやドロワーを嵌合させる場合と比較して、簡易な構成によって各基板２７、６１を電気的に接続することが可能となる。しかしながら、ボードtoボードの構成を採用すると、上記のように筐体２０が前側（前後方向一側）に押し戻された際に、本体側コネクター６２やユニット側コネクター２８が破損しやすくなる。そのため、上記のような構成を用いて本体側コネクター６２及びユニット側コネクター２８の破損を抑制する効果が大きい。
【００５９】
また、ユニット側基板２７の左右両側部（幅方向両側部）が各ガイド部３４のガイド溝３９に係合することで、筐体２０がユニット側基板２７を前後方向に沿って移動可能に支持している。このような構成を採用することで、簡易な構成によってユニット側基板２７を前後方向に沿ってスムーズに移動させることが可能となる。
【００６０】
また、ユニット側基板２７の各当接片４３が各ガイド部３４に当接することで、筐体２０に対するユニット側基板２７の前側（前後方向一側）への移動が規制されている。このような構成を採用することで、筐体２０に対してユニット側基板２７が過度に移動するのを抑制することが可能となる。
【００６１】
また、付勢部材２９は、前後方向を軸心方向とするコイルバネ５０を備えている。このような構成を採用することで、ユニット側基板２７を後側（前後方向他側）に向かって安定的に付勢することが可能となる。
【００６２】
また、付勢部材２９は、コイルバネ５０から前側（前後方向一側）に向かって延びており、ユニット側基板２７の前縁部（前後方向一側の縁部）に係合する第１係合部５１と、コイルバネ５０から後側（前後方向他側）に向かって延びており、筐体２０に係合する第２係合部５２と、を更に備えている。このような構成を採用することで、簡易な構成によってユニット側基板２７を確実に付勢することが可能となる。
【００６３】
また、本実施形態では、ユニットの一例である現像ユニット８に対して本願発明の構成を適用している。このような構成を採用することで、装置本体２と現像ユニット８の電気的な接続を安定させ、トナー濃度センサー２５の検知不良などを抑制することが可能となる。
【００６４】
本実施形態では、ユニットの一例である現像ユニット８に対して本願発明の構成を適用している。一方で、他の異なる実施形態では、現像ユニット８以外のユニット（例えば、感光体ドラム７を有するドラムユニット、二次転写部１３を有する二次転写ユニット、定着装置１４を有する定着ユニット、トナーコンテナ１５）に本願発明の構成を適用しても良い。
【００６５】
本実施形態では、画像形成装置１が複合機である。一方で、他の異なる実施形態では、画像形成装置１がプリンター、コピー機、ファクシミリ等であっても良い。
【符号の説明】
【００６６】
１  画像形成装置
２  装置本体
７  感光体ドラム（像担持体の一例）
８  現像ユニット（ユニットの一例）
２０  筐体（支持部材の一例）
２７  ユニット側基板
２８  ユニット側コネクター
２９  付勢部材
３４  ガイド部
４３  当接片
５０  コイルバネ
５１  第１係合部
５２  第２係合部
６１  本体側基板
６２  本体側コネクター
【図１】
2019039975.tif 000003
【図２】
2019039975.tif 000004
【図３】
2019039975.tif 000005
【図４】
2019039975.tif 000006
【図５】
2019039975.tif 000007
【図６Ａ】
2019039975.tif 000008
【図６Ｂ】
2019039975.tif 000009
【図６Ｃ】
2019039975.tif 000010